(57)【要約】【課題】内燃機関のシリンダとピストンが擦れ合うことを防止し得るように、小さな不純物を除去すること。【解決手段】ハウジングとフィルタを有し、ハウジングはべース、出口を有するカバー、円筒状の外側フィルタスクリーン、円筒状の内側フィルタスクリーン、及び円筒状の金属ネットを有し、外側フィルタスクリーン、内側フィルタスクリーン及び金属ネットの下部エッジと上部エッジは、夫々ベースとカバー上に締結され、内側フィルタスクリーンは外側フィルタスクリーンによって囲まれ、金属ネットは内側フィルタスクリーンによって囲まれ、フィルタは外側フィルタスクリーンと内側フィルタスクリーンとの間に取り付けられる。【選択図】図２
0003134873.tif 000002
【実用新案登録請求の範囲】
【請求項１】
フィルタアセンブリであって、
ハウジングを備え、
このハウジングが、ベースと、外側フィルタスクリーンと、内側フィルタスクリーンと、金属ネットと、カバーと、フィルタとを備え、
前記外側フィルタスクリーンは、管状を呈していて、ベース上に締結され、当該外側フィルタスクリーンを貫通するように画定される複数のグリッドを備え、
前記内側フィルタスクリーンは、管状を呈していて、ベース上に締結され、外側フィルタスクリーンによって囲まれ、且つ当該内側フィルタスクリーンを貫通するように画定される複数のグリッドを有し、
前記金属ネットは、管状を呈していて、ベース上に締結され、内側フィルタスクリーンによって囲まれ、且つ当該金属ネットを貫通するように画定される複数の孔を有し、
前記カバーは、外側フィルタスクリーン、内側フィルタスクリーン及び金属ネット上に締結されるカバーであって、ベースの形状に対応した形状を有するとともに、カバーを貫通するように画定され且つ金属ネットによって囲まれる出口と、を有し、
前記フィルタは外側フィルタスクリーンと内側フィルタスクリーンとの間に取り付けられる、
フィルタアセンブリ。
【請求項２】
前記ベースはディスク形状であり、且つエッジを有する上表面と、上部表面のエッジ上に取り付けられる側壁と、ベースの中央部を貫通するように画定される中央孔を有し、外側フィルタスクリーンは、更に内表面と、上エッジと、ベースの上部表面上に取り付けられる下部エッジと、ベースの側壁に当接する外表面と、を有し、内側フィルタスクリーンは、更に外側表面と、上エッジと、ベースの上部表面上に締結される下部エッジと、を有し、ベースの中央孔を囲む金属ネットは、更に、上部エッジと、ベースの上部表面上に締結される下部エッジと、を有し、カバーは、更にエッジを有する下部表面と、下部表面のエッジ上に取り付けられると共に外側フィルタスクリーンの上部エッジ近傍の外表面に当接する側壁と、を有する、請求項１に記載のフィルタアセンブリ。
【請求項３】
フィルタは、複数の間隔を画定するために外側フィルタスクリーンと内側フィルタスクリーンとの間の空間に含まれる複数のエレメントを備える、請求項２に記載のフィルタアセンブリ。
【請求項４】
フィルタは、外側フィルタスクリーンと内側フィルタスクリーンとの間の空間に垂直方向に積層された少なくとも１個のセラミック製のフィルタリングと少なくとも１個のフィルタコットンを有する、請求項２に記載のフィルタアセンブリ。
【請求項５】
フィルタは、
外側フィルタスクリーンと内側フィルタスクリーンとの間の空間に取り付けられ且つ夫々がベースの上部表面とカバーの下部表面に当接する二つのフィルタコットンと、セラミックス製でフィルタコットン同士間に取り付けられるフィルタリングと、を備える請求項２に記載のフィルタアセンブリ。
【請求項６】
ベースの形状が円形であり、外側フィルタスクリーンが円柱状であり、内側フィルタスクリーンが円柱状であり、金属ネットが円柱状であり、カバーの形状が円形である、請求項２に記載のフィルタアセンブリ。
【請求項７】
エレメントがセラミックス製である、請求項３に記載のフィルタアセンブリ。
【請求項８】
エレメントが鉱物製である、請求項３に記載のフィルタアセンブリ。
【請求項９】
エレメントが金属製である、請求項３に記載のフィルタアセンブリ。
【請求項１０】
各要素はボール形状である、請求項３、７、８、又は９に記載のフィルタアセンブリ。
【請求項１１】
各要素が多角形状を有する、請求項３、７、８、又は９に記載のフィルタアセンブリ。
【請求項１２】
各要素は、不規則な形状を有する、請求項３、７、８、又は９に記載のフィルタアセンブリ。
【考案の詳細な説明】
【技術分野】
【０００１】
本考案はフィルタアセンブリに関し、より具体的には、内燃機関に取り付けられると共に燃焼油や排ガスを濾過して不純物を除去するためのセラミック材料よりなるフィルタアセンブリに関する。
【背景技術】
【０００２】
機械工業の発展に従って、資源が殆ど使い尽くされ、環境が汚染されている。
特に自動車工業において、自動車は黒い煙を有する排ガスを放出し、空気を汚染する。従って、フィルタは、各自動車の排気パイプに取り付けられて排ガスを濾過する。
【０００３】
内燃機関は、通常、自動車や動力機械に使用される。この内燃機関は、シリンダ、ピストン及び他のエレメントを備える。内燃機関が作動される前は、燃料タンクから潤滑剤（例えば、エンジンオイル）が混合された燃焼油が、シリンダ内に噴射されて燃焼され、エネルギーを発生する。内燃機関が作動される時、シリンダとピストン又は他のエレメントが互いに擦れ合う。従って、潤滑剤は、シリンダとピストン又は他のエレメント間の摩擦を減少する。
【０００４】
しかしながら、燃焼油は、オイルタンクに沈積する可能性のある不純物を含む。不純物は、シリンダ内に流れ込みシリンダとピストンを擦りこれらを傷つける。従って、内燃機関は、更に、シリンダに入る前に燃焼油と潤滑剤中の不純物を濾過するためのフィルタを備える。フィルタがない場合、シリンダ、ピストン及び他のエレメントが不純物によって擦られる。
【０００５】
図７を参照すると、従来のフィルタアセンブリは、金属ネット（４０）と濾紙（５０）を有する。金属ネット（４０）は、円筒形で、複数の孔（４１）を有し、燃焼油と潤滑剤が孔（４１）を通過することを可能とする。濾紙（５０）は、中空円筒状であり、金属ネット（４０）を囲み、複数の折り目（５１）とメッシュを有する。折り目は、燃焼油と潤滑剤と接触する濾紙（５０）の面積を増加できる。メッシュは、燃焼油と潤滑剤がフィルタアセンブリを通過し、燃焼油と潤滑剤中の不純物を濾過除去することを可能とし、各メッシュは、ある大きさを有する。
【０００６】
しかしながら、各メッシュの大きさは、ある小さな不純物に対して大き過ぎ、それによって、濾紙（５０）は、小さな不純物を濾過除去できない。更に、燃焼油と潤滑剤は、濾紙（５０）を濡らして損傷させる。それによって、不純物は、シリンダ内に流入し、シリンダとピストンを磨耗する。手短に言えば、紙製のフィルタは、良好なフィルタリング効果を備えることができない。
【考案の開示】
【考案が解決しようとする課題】
【０００７】
本考案の主目的は、内燃機関に取り付けられると共に燃焼油や排ガスを濾過して不純物を除去するためのセラミック材料よりなるフィルタアセンブリを提供することである。
【課題を解決するための手段】
【０００８】
上記目的を達成するために、本考案に係るフィルタアセンブリは、ハウジングとフィルタを有する。ハウジングは、べースと、出口を有するカバーと、円筒状の外側フィルタスクリーンと、円筒状の内側フィルタスクリーンと、円筒状の金属ネットと、を有する。外側フィルタスクリーン、内側フィルタスクリーン及び金属ネットの下部エッジと上部エッジは、夫々、ベースとカバー上に締結されている。内側フィルタスクリーンは、外側フィルタスクリーンによって囲まれている。金属ネットは、内側フィルタスクリーンによって囲まれている。フィルタは、外側フィルタスクリーンと内側フィルタスクリーンとの間に取り付けられ、小さな大きさでも不純物を除去する。このように、フィルタアセンブリは、明瞭に不純物を除去し、内燃機関のシリンダとピストンが擦れ合うことを防止する。
【考案を実施するための最良の形態】
【０００９】
以降に図面を参照しながら本考案の実施の形態について説明する。
【００１０】
図１、２、及び５を参照すると、本考案に係るフィルタアセンブリは、ハウジングと、フィルタと、締結アセンブリ（３０）を有する。
【００１１】
ハウジングは、ベース（１１）、外側フィルタスクリーン（１２）、内側フィルタスクリーン（１３）、金属ネット（１４）、及びカバー（１５）を有する。
【００１２】
ベース（１１）は、形状、上部表面、側壁（１１１）、及び中央孔（１１２）を有する。ベース（１１）の形状は、ディスク形状であり、円形でも良い。上部表面は、エッジを有する。側壁（１１１）は、上部表面のエッジに取り付けられる。中央孔（１２）は、ベース（１１）の中央部を貫通するように画定される。
【００１３】
外側フィルタスクリーン（１２）は、管状であり、円筒形でもよく、ベース（１１）の上部表面上に締結され、内表面、上部エッジ（１２１）、下部エッジ（１２２）、外表面、及び複数のグリッド（１２３）を有する。下部エッジ（１２２）は、ベース（１１）の上表面に締結される。下部エッジ（１２２）近傍の外表面は、ベース（１１）の側壁（１１１）に当接する。グリッド（１２３）は、外側フィルタスクリーン（１２）を貫通するように画定され、燃焼油、潤滑剤、及び排ガスのような未濾過流体をフィルタアセンブリへ流入される。内側フィルタスクリーン（１３）は、管状であり、円筒形でもよく、ベース（１１）の上部表面上に締結されており、外側フィルタスクリーン（１２）に囲まれており、外表面、上部エッジ（１３１）、下部エッジ（１３２）、及び複数のグリッド（１３３）を有する。下部エッジ（１３２）は、ベース（１１）の上部表面上に締結される。グリッド（１３３）は、内側フィルタスクリーン（１３）を貫通するように画定され、外側フィルタスクリーン（１２）からの濾過済み流体がグリッド（１３３）を通過させられる。
【００１４】
金属ネット（１４）は、管状であり、円筒形でもよく、ベース（１１）の上部表面上に締結され、内側フィルタスクリーン（１３）によって囲まれ、ベース（１１）の中央孔（１１２）を囲み、上部エッジ（１４１）、下部エッジ（１４２）、及び複数の孔（１４３）を有する。下部エッジ（１４２）は、ベース（１１）の上部表面上に締結される。孔（１４３）は、金属ネット（１４）を貫通するように形成され、濾過済み流体が孔を通過する。
【００１５】
カバー（１５）は、外部及び内側フィルタスクリーン（１２、１３）並びに金属ネット（１４）の上部エッジ（１２１、１３１、及び１４１）上に締結され、形状、下部表面、側壁（１５１）、及び出口（１５２）を有する。
下表面は、エッジを有する。カバー（１５）の形状は、ベース（１１）の形状に対応する。側壁（１５１）は、下表面のエッジに取り付けられ、外側フィルタスクリーン（１２）の上部エッジ（１２１）近傍の外表面に当接する。出口（１５２）は、カバー（１５）を貫通するように画定され、金属ネット（１４）によって囲まれ、濾過済み流体がフィルタアセンブリから流出される。
【００１６】
フィルタは、外側フィルタスクリーン（１２）と内側フィルタスクリーン（１３）との間に取り付けられ、外側フィルタスクリーン（１２）の内表面と内側フィルタスクリーン（１３）の外表面に当接する。フィルタは、セラミック、鉱物、及び金属製である。
【００１７】
図３と４を参照すると、本考案に係るフィルタの第１の実施形態において、フィルタは、複数のエレメント（２０）を有する。これらのエレメント（２０）は、セラミック、鉱物、及び金属製である。エレメント（２０）は、外側フィルタスクリーン（１２）と内側フィルタスクリーン（１３）との間の空間に含まれ、未濾過流体にフィルタを通過させる複数の間隔（２２）を画定し、各エレメント（２０）は、大きさと形状を有する。エレメント（２０）の大きさは、未濾過流体と接触するエレメント（２０）の全面積を制御するために変更されることができる。各エレメント（２０）の形状は、トラック、バス、自動車等のような異なる車両に適用するために、ボール形状、多角形状、或いは不規則形状であってもよい。ユーザは、水や他の溶液によって簡単にフィルタを清掃できる。各セラミックエレメント（２０）は、多孔性で軽く、多数の微細孔、耐腐食性、及び耐熱性を有する。セラミックエレメント（２０）の小孔はまた、濾過される不純物と共に未濾過流体をセラミックフィルタに通過させ、小さな不純物でさえも除去もできる。
【００１８】
図６を参照すると、本考案に係るフィルタの第２の実施の形態において、フィルタは、少なくとも一個のフィルタリング（２０ａ）と少なくとも一つのフィルタコットン（２１ａ）を有する。この少なくとも一個のフィルタリング（２０ａ）は、セラミックス製である。これらの少なくとも一個のフィルタコットン（２１ａ）と少なくとも一つのフィルタリング（２０ａ）は、外側フィルタスクリーン（１２）と内側フィルタスクリーン（１３）との間の空間に垂直方向に互いに交互に積層されている。図６は、二つのフィルタコットン（２１ａ）が、夫々ベース（１０）の上部表面とカバー（１５）の下部表面に当接し、且つ１個のフィルタリング（２０ａ）がフィルタコットン（２１ａ）同士間に取り付けられていることを示している。
【００１９】
締結アセンブリ（３０）は、内燃機関や排気パイプ等において自動車にハウジングを締結し、未濾過流体を濾過し不純物を除去する。
【００２０】
未濾過流体は、外側フィルタスクリーン（１２）、セラミックフィルタ、及び内側フィルタスクリーン（１３）によって濾過され、更に、前記少なくとも一つのフィルタコットン（２１ａ）によって濾過され、それによって、不純物が、明瞭に除去される。フィルタアセンブリが、内燃機関に取り付けられると、フィルタアセンブリは、燃焼油と潤滑剤を濾過して内燃機関のシリンダとピストンが不純物によって擦られることを防止する。フィルタアセンブリが、排気パイプに取り付けられると、フィルタアセンブリは、排ガスを濾過して排ガスが環境を汚染することを防止する。
【図面の簡単な説明】
【００２１】
【図１】本考案に係るフィルタアセンブリのフィルタの第１の実施形態の斜視図である。
【図２】図１に示されるフィルタアセンブリの分解斜視図である。
【図３】図１に示されるフィルタアセンブリの横断面側面図である。
【図４】図１に示されるフィルタアセンブリの部分断面図における斜視図である。
【図５】本考案に係るフィルタアセンブリのフィルタの第２の実施形態の分解斜視図である。
【図６】図５に示されるフィルタアセンブリの斜視図である。
【図７】従来技術に係るフィルタアセンブリの分解斜視図である。
【図１】
0003134873.tif 000003
【図２】
0003134873.tif 000004
【図３】
0003134873.tif 000005
【図４】
0003134873.tif 000006
【図５】
0003134873.tif 000007
【図６】
0003134873.tif 000008
【図７】
0003134873.tif 000009
【手続補正書】
【提出日】平成19年6月27日(2007.6.27)
【手続補正１】
【補正対象書類名】実用新案登録請求の範囲
【補正対象項目名】請求項１０
【補正方法】変更
【補正の内容】
【請求項１０】
各エレメントはボール形状である、請求項３、７、８、又は９に記載のフィルタアセンブリ。
【手続補正２】
【補正対象書類名】実用新案登録請求の範囲
【補正対象項目名】請求項１１
【補正方法】変更
【補正の内容】
【請求項１１】
各エレメントが多角形状を有する、請求項３、７、８、又は９に記載のフィルタアセンブリ。
【手続補正３】
【補正対象書類名】実用新案登録請求の範囲
【補正対象項目名】請求項１２
【補正方法】変更
【補正の内容】
【請求項１２】
各エレメントは、不規則な形状を有する、請求項３、７、８、又は９に記載のフィルタアセンブリ。